(57)【特許請求の範囲】
【請求項１】
建物の外壁又は屋根を形成する板材の屋外側に設けられた集熱板を有するとともに前記板材と前記集熱板との間に集熱空間が形成されている太陽熱集熱部を備える建物に適用され、前記集熱空間の空気が建物内空間に供給される建物の換気設備であって、
外気を取り込み前記建物内空間に供給する給気通路と、
前記建物内空間から内気を取り込み屋外に排出する排気通路と、
前記給気通路に取り込まれた外気と前記排気通路に取り込まれた内気との間で熱交換を行う熱交換装置と、
を備え、
前記給気通路には、前記熱交換装置の下流側に接続された前記集熱空間が含まれており、
前記給気通路において前記熱交換装置よりも下流側には、前記集熱空間よりも下流側にて前記建物内空間に対して給気を行う第１給気口と、前記集熱空間よりも上流側にて前記建物内空間に対して給気を行う第２給気口とが設けられており、
前記第１給気口と前記第２給気口とのいずれから前記建物内空間に対して給気を行うかが切替手段により切り替えられる構成であり、
前記集熱空間は、前記建物内空間の空気が該集熱空間に向けて流入する空気流入口と、前記空気流入口から流入した空気が屋外に向けて流出する空気流出口とにそれぞれ通じており、
前記集熱空間と前記第２給気口との間において前記給気通路から分岐した分岐通路が、前記空気流入口を有しており、
前記空気流出口は、前記集熱板を貫通する貫通孔により形成されており、
前記給気通路において前記第１給気口から前記建物内空間に給気が行われている場合に、前記空気流入口及び前記空気流出口がそれぞれ閉鎖される構成としたことを特徴とする建物の換気設備。
【請求項２】
建物の外壁を形成する板材の屋外側に設けられた集熱板を有するとともに前記板材と前記集熱板との間に集熱空間が形成されている太陽熱集熱部を備える建物に適用され、前記集熱空間の空気が建物内空間に供給される建物の換気設備であって、
外気を取り込み前記建物内空間に供給する給気通路と、
前記建物内空間から内気を取り込み屋外に排出する排気通路と、
前記給気通路に取り込まれた外気と前記排気通路に取り込まれた内気との間で熱交換を行う熱交換装置と、
を備え、
前記給気通路には、前記熱交換装置の下流側に接続された前記集熱空間が含まれており、
前記給気通路において前記熱交換装置よりも下流側には、前記集熱空間よりも下流側にて前記建物内空間に対して給気を行う第１給気口と、前記集熱空間よりも上流側にて前記建物内空間に対して給気を行う第２給気口とが設けられており、
前記第１給気口と前記第２給気口とのいずれから前記建物内空間に対して給気を行うかが切替手段により切り替えられる構成であり、
前記集熱空間は、上下に隣り合う上階部及び下階部のうち前記下階部に設けられた下階集熱空間と、前記上階部に設けられた上階集熱空間とを有しており、
前記給気通路においては、前記下階集熱空間が前記熱交換装置の下流側に配置され、前記上階集熱空間が前記下階集熱空間と前記第１給気口との間に配置され、前記上階集熱空間と前記下階集熱空間とが連結配管で接続されていることを特徴とする建物の換気設備。
【請求項３】
屋外環境に関する情報を屋外環境情報として取得する屋外情報取得手段と、
前記屋外情報取得手段により取得された屋外環境情報に基づいて、前記第１給気口と前記第２給気口とのいずれから前記建物内空間に対して給気を行うかを前記切替手段に切り替えさせる制御手段と、
を備えていることを特徴とする請求項１又は２に記載の建物の換気設備。
【請求項４】
前記建物内空間がそれぞれの階に設けられている複数階建ての建物に適用され、
前記給気通路は、前記熱交換装置及び前記集熱空間を経由させた外気を各階ごとに個別に供給することが可能となっており、
前記複数階のうちいずれの階を対象として給気を行うかを切り替える階切替手段と、
前記建物内空間における人の居場所を検出する人検出手段と、
前記人検出手段により人が検出された階に給気が行われるように前記階切替手段の動作制御を行う手段と、
を備えていることを特徴とする請求項１乃至３のいずれか１項に記載の建物の換気設備。
【請求項５】
前記集熱空間は複数形成されており、
前記給気通路は、各集熱空間のうちいずれかを経由させて外気を前記建物内空間に供給することが可能となっており、
前記各集熱空間のうちいずれを経由させるのかを切り替える集熱空間切替手段と、
各集熱空間の温度を検出する温度検出手段と、
前記温度検出手段の検出結果に基づいて前記集熱空間切替手段の動作制御を行う手段と、
を備えていることを特徴とする請求項１乃至４のいずれか１項に記載の建物の換気設備。
【発明の詳細な説明】
【技術分野】
【０００１】
本発明は、建物の換気設備に関するものである。
【背景技術】
【０００２】
太陽光の熱を利用して建物内空間の空気を温める技術が提案されている。例えば特許文献１に記載されている構成では、建物の壁体の屋外側に鋼板等の集熱板が設けられ、壁体と集熱板との間に空気層が形成され、空気層は還気ダクト及び給気ダクトにより居室と連通されている。この構成によれば、居室から空気層に還気ダクトを通じて取り込まれた空気が給気ダクトを通じて再び居室に戻される。この場合、空気層にて太陽光により温められた空気が暖気として居室に供給されるため、太陽光の熱を利用して居室の温度調整が行われることになる。
【先行技術文献】
【特許文献】
【０００３】
【特許文献１】特開２００５−３２６０７７号公報
【発明の概要】
【発明が解決しようとする課題】
【０００４】
しかしながら、上記特許文献１の構成において空気層から室内へは、単に空気層内で太陽熱集熱により暖気された空気が供給されるだけであり、曇り日など日差しが弱い場合には太陽熱集熱が十分でないと考えられる。したがって、空気層から室内への給気が室内暖房に寄与しない場合や、却って室内温度を低下させてしまう場合もあると想定される。
【０００５】
また、建物において、室内換気を行うための換気設備と、換気設備により室内に供給される外気と屋外に排出される内気との間で熱交換を行う熱交換器と、が設けられた構成が知られている。この場合、例えば冬期において室内換気に伴う室内温度の低下が熱交換器により抑制されているが、熱交換器の熱交換効率が低いと室内換気に伴って室内温度が低下することが懸念される。
【０００６】
本発明は、建物内空間の換気に際して熱効率の改善を図ることを主たる目的とする。
【課題を解決するための手段】
【０００７】
上記課題を解決するために、第１の発明の建物の換気設備は、建物の外壁又は屋根を形成する板材の屋外側に設けられた集熱板を有するとともに前記板材と前記集熱板との間に集熱空間が形成されている太陽熱集熱部を備える建物に適用され、前記集熱空間の空気が建物内空間に供給される建物の換気設備であって、外気を取り込み前記建物内空間に供給する給気通路と、前記建物内空間から内気を取り込み屋外に排出する排気通路と、前記給気通路に取り込まれた外気と前記排気通路に取り込まれた内気との間で熱交換を行う熱交換装置とを備え、前記給気通路には、前記熱交換装置の下流側に接続された前記集熱空間が含まれており、前記給気通路において前記熱交換装置よりも下流側には、前記集熱空間よりも下流側にて前記建物内空間に対して給気を行う第１給気口と、前記集熱空間よりも上流側にて前記建物内空間に対して給気を行う第２給気口とが設けられており、前記第１給気口と前記第２給気口とのいずれから前記建物内空間に対して給気を行うかが切替手段により切り替えられる構成であることを特徴とする。
【０００８】
第１の発明によれば、給気通路及び排気通路を通じて建物内空間の換気が行われる構成において、外気が給気通路を通じて建物内空間に供給される場合、その外気は、熱交換装置での熱交換により内気（建物内空間の空気）の熱が付与されて温度上昇し、それから太陽熱集熱部の集熱空間にて太陽熱が付与されてさらに温度上昇する。この場合、例えば熱交換装置での熱交換が行われずに集熱空間にて太陽熱が付与される構成に比べて、建物内空間に供給される外気の上昇温度を大きくすることができる。
【０００９】
また、給気通路において第１給気口に加えて第２給気口が設けられており、それら第１給気口又は第２給気口から給気が行われる。このため、熱交換装置において熱交換され且つ集熱空間において加熱された外気を建物内空間に供給するだけでなく、熱交換装置において熱交換された外気を集熱空間において加熱することなく建物内空間に供給することが可能となっている。この場合、熱交換装置にて熱交換した外気をそのまま建物内空間に供給することにより、建物内空間の換気に際して建物内空間の温度上昇を抑制できる。したがって、例えば夏期においてエアコン等の空調装置により建物内空間の冷房が行われている場合に、建物内空間の換気を行いつつ冷房効率の低下を抑制することができる。
【００１０】
以上の結果、建物内空間の換気に際して熱効率の改善を図ることができる。
【００１１】
第２の発明では、屋外環境に関する情報を屋外環境情報として取得する屋外情報取得手段と、前記屋外情報取得手段により取得された屋外環境情報に基づいて、前記第１給気口と前記第２給気口とのいずれから前記建物内空間に対して給気を行うかを切り替える制御手段とを備えている。
【００１２】
第２の発明によれば、屋外環境情報に合わせて給気通路における第１給気口又は第２給気口から建物内空間に外気が供給される。したがって、外気が所定温度より低い場合に太陽熱により加熱された外気を建物内空間に供給し、外気が所定温度以上である場合に外気を太陽熱により加熱せずに建物内空間に供給することができる。例えば、冬期において建物内空間に暖かい外気を供給し、夏期において内気に近い温度の外気を建物内空間に供給することができる。つまり、建物内空間の換気を行う際に、外気温度などの屋外環境に合わせて建物内空間の温度を好適に調整することができる。
【００１３】
第３の発明では、前記集熱空間は、前記建物内空間の空気が該集熱空間に向けて流入する空気流入口と、前記空気流入口から流入した空気が屋外に向けて流出する空気流出口とにそれぞれ通じており、前記給気通路において前記第１給気口から前記建物内空間に給気が行われている場合に、前記空気流入口及び前記空気流出口がそれぞれ閉鎖される構成とした。
【００１４】
第３の発明によれば、集熱空間に溜まった熱が空気流出口から屋外へ放出される構成において、外気が集熱空間を経由して第１給気口から建物内空間に供給される場合に、空気流入口及び空気流出口が閉鎖されるため、集熱空間にて加熱された空気が屋外へ放出されることを回避することができる。したがって、例えば夏期においては外壁や屋根において集熱空間から板材等を介して建物内空間に伝わる熱を減らすことができ、ひいては、夏期等において集熱空間からの熱放射により建物内空間の温度が上昇してしまうという不都合を回避できる。また、冬期においては集熱空間内の熱を屋外へ放出せずに建物内空間の暖房に利用することができる。つまり、建物内空間の暖房効率を高めることができる。
【００１５】
第４の発明では、前記集熱空間は互いに離間させて複数設けられており、前記複数の集熱空間は連結配管により連結されており、前記複数の集熱空間のうち少なくとも２つが前記給気通路として用いられ、該給気通路として用いられた集熱空間を複数経由した外気が前記建物内空間に供給される。
【００１６】
第４の発明によれば、複数の集熱空間が連結配管により連結されており、そのうち少なくとも２つの集熱空間を給気通路として用いることができる構成では、２以上の集熱空間で空気を経由させることにより空気の昇温効果を高めることができる。これにより、給気通路における熱交換装置の下流側において外気の上昇温度を大きくすることができる。
【００１７】
また、２以上の集熱空間がひとまとめで形成されそれが１つの給気通路として機能する場合と、２以上の集熱空間が連結配管により連結されそれが１つの給気通路として機能する場合とを比べると、後者の方が給気通路としての空気の流通性が低く、集熱空間内における空気の滞在時間が長くなると考えられる。したがって、後者の方が集熱空間内において空気に加えられる太陽熱が多く、空気の温度上昇が大きくなる。これにより、給気通路における熱交換装置の下流側において外気の上昇温度をより一層大きくすることができる。
【００１８】
第５の発明では、前記建物内空間がそれぞれの階に設けられている複数階建ての建物に適用され、前記給気通路は、前記熱交換装置及び前記集熱空間を経由させた外気を各階ごとに個別に供給することが可能となっており、前記複数階のうちいずれの階を対象として給気を行うかを切り替える階切替手段と、前記建物内空間における人の居場所を検出する人検出手段と、前記人検出手段により人が検出された階に給気が行われるように前記階切替手段の動作制御を行う手段とを備えている。
【００１９】
第５の発明によれば、人がいる階を対象として集熱空間による建物内空間の暖房を行うことができる。これにより、複数階の建物において全ての階を対象として暖房を行わなくても、人がいる場所を人にとって快適な温度に調整することができる。
【００２０】
第６の発明では、前記集熱空間は複数形成されており、前記給気通路は、各集熱空間のうちいずれかを経由させて外気を前記建物内空間に供給することが可能となっており、前記各集熱空間のうちいずれを経由させるのかを切り替える集熱空間切替手段と、各集熱空間の温度を検出する温度検出手段と、前記温度検出手段の検出結果に基づいて前記集熱空間切替手段の動作制御を行う手段とを備えている。
【００２１】
第６の発明によれば、給気通路により外気を建物内空間に供給する場合に、複数の集熱空間のうちいずれを経由するのかがそれら集熱空間の温度に基づいて選択的に切り替えられる。したがって、各集熱空間の温度が異なっていれば選択される集熱空間によって異なる温度の外気が建物内空間に供給されることになる。この結果、建物内空間の暖房に際して建物内空間の上昇温度の大きさを調整することができる。つまり、建物内空間のきめ細かい温度調整を行うことが可能となる。
【図面の簡単な説明】
【００２２】
【図１】本実施形態における建物の外壁周辺の概略断面を示す図。
【図２】外壁における窓部周辺の外観を示す正面図。
【図３】外壁における集熱空間の配置を示す図。
【図４】居室の床面周辺における外壁の縦断面図。
【図５】居室の天井面周辺における外壁の縦断面図。
【図６】換気制御処理の処理手順を示すフローチャート。
【図７】建物における空気の流れを示す図。
【図８】別の建物の概略断面を示す図。
【図９】別の外壁周辺の概略平面図。
【発明を実施するための形態】
【００２３】
以下、本発明を具体化した一実施形態を図面に基づいて説明する。本実施形態では、本発明を２階建ての建物について具体化している。図１は外壁１５周辺の概略断面を示す図、図２は外壁１５における窓部１８周辺の外観を示す正面図である。なお、図１には、太陽熱集熱装置３１に関する電気的な構成を示すブロック図が含まれている。
【００２４】
図２に示すように、住宅等の建物１０は一階部分１１及び二階部分１２を有している。建物１０の外壁１５には開口部としての窓部１８が形成されており、窓部１８は一階部分１１及び二階部分１２のそれぞれにおいて複数配置されている。窓部１８には、開放可能な片開き窓２１が設けられている。片開き窓２１は窓サッシや窓ガラスなどを含んで構成されており、窓部１８を通じて太陽光や外気が建物内に取り込むことが可能となっている。
【００２５】
一階部分１１及び二階部分１２において、外壁１５はスパンドレル２４を含んで構成されており、外壁１５の屋外面がスパンドレル２４により形成されている。スパンドレル２４は、アルミニウム等の鋼鉄材により板状に形成されており、熱伝導率が比較的高くなっている。スパンドレル２４は、板材が折り曲げられて形成された折り曲げ板であって、上下方向に延び且つ横並びになっている複数の溝部２７を有している。スパンドレル２４は、外壁１５においてスパンドレル支持枠２６により支持されており、スパンドレル支持枠２６はスパンドレル２４の周縁部に沿って延びる枠状に形成されている。
【００２６】
図１に示すように、建物１０には建物内空間としての居室２９が設けられている。居室２９は例えばリビングや寝室となっており、屋外空間とは外壁１５により仕切られている。建物１０には、太陽光の熱を集めることで空気を温めるとともにその温めた空気を居室２９に供給する太陽熱集熱装置３１が設けられている。太陽熱集熱装置３１は、スパンドレル２４を介して太陽光の熱を集める集熱空間３２を有しており、集熱空間３２は外壁１５に設けられている。
【００２７】
外壁１５には、集熱空間３２から居室２９に空気を供給するための集熱部給気通路３５と、居室２９から集熱空間３２に空気を取り込むための集熱部還気通路３６とが設けられている。これら集熱部給気通路３５及び集熱部還気通路３６はそれぞれ集熱空間３２と居室２９とを連通する連通路となっており、集熱部給気通路３５は居室２９の天井面近傍に配置され、集熱部還気通路３６は床面近傍に配置されている。この場合、集熱部還気通路３６を通じて居室２９から集熱空間３２に内気（居室２９内の空気）が取り込まれ、その内気が集熱空間３２にて太陽光により温められると、温められた内気が集熱部給気通路３５を通じて居室２９に供給されることになる。
【００２８】
次に、太陽熱集熱装置３１の集熱空間３２の配置について図３を参照しつつ説明する。図３は外壁１５における集熱空間３２の配置を示す図である。なお、図３においては集熱空間３２の配置を明確化するために溝部２７の図示を省略している。
【００２９】
図３に示すように、外壁１５には、窓部１８が設けられている窓有り領域Ｓ１と、窓部１８が設けられていない窓無し領域Ｓ２とが横並びに設けられており、それら領域Ｓ１，Ｓ２は屋外空間と居室２９との間に存在している。太陽熱集熱装置３１は集熱空間３２を複数有しており、窓無し領域Ｓ２のそれぞれに集熱空間３２が設けられ、窓有り領域Ｓ１には集熱空間３２が設けられていない。この場合、集熱空間３２は窓部１８の側方に配置されていることになり、例えば集熱空間３２が窓有り領域Ｓ１において窓部１８の上方や下方に配置されている構成に比べて、集熱空間３２の上下方向の寸法が大きくなっている。
【００３０】
窓有り領域Ｓ１及び窓無し領域Ｓ２のいずれにおいても、外壁１５の屋外面はスパンドレル２４により形成されている。したがって、窓有り領域Ｓ１及び窓無し領域Ｓ２において外壁１５の屋外面が異なる板材により形成されている構成に比べて、外壁１５の意匠性を向上させることができる。
【００３１】
ここで、窓無し領域Ｓ２における外壁１５の構成について図４、図５を参照しつつ説明する。図４は居室２９の床面周辺における外壁１５の縦断面図、図５は居室２９の天井面周辺における外壁１５の縦断面図である。
【００３２】
図４に示すように、居室２９の下方には床下空間３９が設けられており、床下空間３９の周囲には基礎４１が設けられている。基礎４１の上方には溝形鋼よりなる床大梁４２が設けられており、床大梁４２はその開放側を床下空間３９側に向けて基礎４１に沿って水平方向に延びている。基礎４１と床大梁４２との間には梁下スペーサ４３が設けられており、床大梁４２は梁下スペーサ４３により基礎４１の上面から離間していることになる。なお、梁下スペーサ４３は所定の間隔で複数設置されている。これにより、基礎４１と床大梁４２との間には建物１０の略全周にわたって通気用の隙間が設けられていることになる。
【００３３】
床大梁４２には床下地材４４が載置されており、床下地材４４の上方に床材４５が設けられている。床材４５はフローリング等により形成されており、居室２９と床下空間３９とを仕切っている。
【００３４】
外壁１５は床大梁４２に対して取り付けられている。外壁１５は外壁パネル５１を有しており、外壁パネル５１は、板材としての外壁材５２と、その外壁材５２の裏面（居室２９側の面）に取り付けられた外壁フレーム５３とを含んで構成されている。外壁材５２はサイディングボード等により形成されている。外壁フレーム５３は溝形鋼よりなり、床大梁４２に取り付け固定されている。なお、外壁フレーム５３においては、上下方向や水平方向に延びるフレーム部材が所定の間隔で複数配置されており、それらフレーム部材の間に壁内空気層５４が形成されている。
【００３５】
外壁１５において、外壁パネル５１の居室２９側には内壁材５５が設けられている。内壁材５５は石膏ボード等により形成されており、図示しない下地フレーム等を介して外壁フレーム５３に対して取り付け固定されている。外壁材５２と内壁材５５との間において壁内空気層５４より居室２９側には居室側断熱材５６が設けられている。居室側断熱材５６はグラスウールやウレタンフォーム等により形成されており、内壁材５５の屋外側面に沿って延びている。内壁材５５の居室２９側の面には、下端部における床材４５との境界付近に巾木５７が取り付けられている。
【００３６】
外壁１５において、スパンドレル２４は外壁パネル５１の屋外側に設けられている。スパンドレル２４においてスパンドレル支持枠２６は、ビスが外壁材５２を介して外壁フレーム５３に螺着されることなどにより外壁パネル５１に取り付け固定されている。これにより、スパンドレル２４が外壁パネル５１に対して固定されている。
【００３７】
スパンドレル２４は外壁材５２から屋外側に離間して設けられており、スパンドレル２４と外壁材５２との間の隙間が集熱空間３２となっている。ここでは、スパンドレル支持枠２６はスパンドレル２４よりも外壁材５２側へ突出しており、その突出した部分によってスパンドレル２４が外壁材５２から離れた位置で保持されている。また、スパンドレル支持枠２６は、集熱空間３２の周縁部においてスパンドレル２４と外壁材５２とを連結しており、集熱空間３２を屋外側へ開放されていない閉鎖空間としている。ここで、スパンドレル２４は太陽光が付与される集熱板に相当し、スパンドレル２４及び集熱空間３２が太陽熱集熱部を形成している。
【００３８】
外壁材５２のスパンドレル２４側の面にはスパンドレル側断熱材６４が設けられている。スパンドレル側断熱材６４は断熱性を有する断熱シートにより形成されており、外壁材５２に対して貼り付けられている。この場合、スパンドレル側断熱材６４は、外壁材５２と集熱空間３２との間に存在しており、集熱空間３２に沿って延びている。
【００３９】
外壁１５における床面近傍には、集熱部還気通路３６を形成する還気用スリーブ６６が設けられている。還気用スリーブ６６は空調用配管により形成されており、例えば直径が１５０ｍｍとなっている。還気用スリーブ６６は、内壁材５５、居室側断熱材５６、壁内空気層５４、外壁材５２及びスパンドレル側断熱材６４を貫通しており、還気用スリーブ６６は、壁内空気層５４を介することなく集熱空間３２と居室２９とを直接連通している。なお、外壁パネル５１には、還気用スリーブ６６を固定するための固定枠が取り付けられており、還気用スリーブ６６はその固定枠を介して外壁パネル５１に固定されている。
【００４０】
図５に示すように、居室２９の上方には天井裏空間６９が設けられている。天井裏空間６９には溝形鋼よりなる天井大梁７２が設けられており、天井大梁７２はその開放側を側方（居室２９側）に向けて床大梁４２と同様に水平方向に延びている。天井大梁７２の下方には天井材７３が設けられている。天井材７３は石膏ボード等により形成されており、居室２９と天井裏空間６９とを仕切っている。
【００４１】
外壁１５は天井大梁７２に対して取り付けられており、その取り付け構造は床大梁４２に対する取り付け構造と同様になっている。例えば、外壁パネル５１が天井大梁７２に対して取り付け固定されており、外壁パネル５１に対して内壁材５５等が取り付けられている。
【００４２】
外壁１５における天井面近傍には、集熱部給気通路３５を形成する給気用スリーブ７６が設けられている。給気用スリーブ７６は、還気用スリーブ６６と同様に直径１５０ｍｍの空調用配管により形成されており、内壁材５５、居室側断熱材５６、壁内空気層５４、外壁材５２及びスパンドレル側断熱材６４を貫通している。この場合、給気用スリーブ７６は、壁内空気層５４を介することなく集熱空間３２と居室２９とを直接連通していることになる。また、給気用スリーブ７６は集熱空間３２の一部を居室２９側に開放していることになるため、例えば集熱空間３２の上部全体が居室２９側に開放されている構成に比べて、集熱空間３２の流体抵抗が大きくされていることになる。この場合、給気用スリーブ７６は空気の流れを規制する規制構造を集熱空間３２に対して付与していることになり、集熱空間３２の空気は給気用スリーブ７６から居室２９に流れ出にくくなっている。
【００４３】
ここで、集熱空間３２への太陽熱の伝わり方について説明する。
【００４４】
外壁１５においてスパンドレル２４に太陽光が照射された場合、スパンドレル２４には日射熱が付与される。この場合、日射熱は、放射熱伝達によりスパンドレル２４を介して集熱空間３２に伝わるとともに、対流熱損失によりスパンドレル２４から屋外へ放出される。この場合、集熱空間３２においては、日射熱のうち集熱空間３２に伝わった熱により集熱空間３２内の空気が温められて暖気となる。
【００４５】
本実施形態では、建物１０において居室２９の換気を行う換気システムが構築されている。この換気システムにおいては、屋外から取り込んだ外気と居室２９から排出する排気との間で熱交換を行わせ、その外気を太陽熱集熱装置３１の集熱空間３２を介して居室２９に供給することが可能となっている。つまり、換気に際して居室２９に供給する外気により居室２９の暖房を行うことが可能となっている。
【００４６】
図１に示すように、建物１０には、屋外から居室２９に外気を取り込むとともに居室２９から屋外へ内気を排出する換気装置１１１が設けられている。換気装置１１１は例えば居室２９の天井面又は天井裏空間に設けられている。換気装置１１１には、屋外から外気（ＯＡ）を取り込むための外気取込通路１１２と、取り込んだ外気を給気（ＳＡ）として居室２９に供給するための外気供給通路１１３と、居室２９から内気を還気（ＲＡ）として取り込むための内気取込通路１１４と、取り込んだ内気を排気（ＥＡ）として屋外に排出するための内気排出通路１１５とが接続されている。
【００４７】
なお、外気取込通路１１２及び内気排出通路１１５は空調用配管により形成されており、その空調用配管は、外壁１５に形成された貫通孔等を介して屋外に通じている。外気供給通路１１３及び内気取込通路１１４は換気装置１１１に取り付けられたグリルなどにより形成されており、空気用の吹出口及び取込口となっている。なお、外気供給通路１１３及び内気取込通路１１４は空調用配管により形成されていてもよい。
【００４８】
換気装置１１１には、外気取込通路１１２から取り込まれた外気と内気取込通路１１４から取り込まれた内気との間で熱交換を行わせる熱交換部１１７が設けられている。熱交換部１１７は、外気と内気との間で顕熱及び潜熱の授受を行わせる全熱交換方式となっており、外気及び内気のうち温度の高い方から低い方へそれら熱を付与する。例えば冬期においては、居室２９に供給される外気に排気（内気）の熱が付与され、それによってその外気の温度が上昇する。一方、夏期においては、居室２９に供給される外気から排気に熱が付与され、それによってその外気の温度が低下する。なお、熱交換部１１７は、外気と内気との間で顕熱及び潜熱のうち顕熱の授受を行わせる顕熱交換方式であってもよい。
【００４９】
換気装置１１１には、屋外から居室２９に外気を強制的に供給する給気ファン１１８と、居室２９から屋外に内気を強制的に排出する排気ファン１１９とが設けられている。給気ファン１１８及び排気ファン１１９はそれぞれ電気モータを含んで構成されており、給気ファン１１８の駆動に伴って外気が外気取込通路１１２から取り込まれるとともにその外気が外気供給通路１１３から居室２９へ供給され、排気ファン１１９の駆動に伴って内気が内気取込通路１１４から取り込まれるとともにその内気が内気排出通路１１５から屋外へ排出される。
【００５０】
ここで、換気装置１１１は、屋外から取り込んだ外気を居室２９ではなく集熱空間３２に供給することが可能な構成となっている。具体的には、換気装置１１１には、外気取込通路１１２から取り込んだ外気を集熱空間３２に供給するための集熱部連通路１２１が接続されている。集熱部連通路１２１から集熱空間３２に供給される外気は、外気供給通路１１３から居室２９に供給される外気と同様に、排気（内気）と熱交換されるとともに、給気ファン１１８の駆動に伴って強制的に集熱空間３２に供給される。
【００５１】
換気装置１１１には、外気供給通路１１３の開閉を行う外気供給バルブ１２２と、集熱部連通路１２１の開閉を行う外気集熱バルブ１２３とが設けられている。外気供給バルブ１２２及び外気集熱バルブ１２３はそれぞれ開閉弁等の開閉体を含んで構成されており、外気供給バルブ１２２が閉鎖状態にある場合、外気供給通路１１３を通じた居室２９への外気の供給が停止され、外気集熱バルブ１２３が閉鎖状態にある場合、集熱部連通路１２１を通じた集熱空間３２への外気の供給が停止される。
【００５２】
集熱部連通路１２１は、空調用配管により形成されており、集熱空間３２に通じる集熱部還気通路３６に接続されている。また、集熱部還気通路３６は、居室２９から集熱空間３２に空気を流入させるための空気流入通路１２４を通じて居室２９と連通されており、空気流入通路１２４は集熱部連通路１２１から分岐している。空気流入通路１２４には、その空気流入通路１２４の開閉を行う空気流入バルブ１２５が設けられている。空気流入バルブ１２５は開閉弁等の開閉体を含んで構成されており、空気流入バルブ１２５が閉鎖状態にある場合、空気流入通路１２４及び集熱部還気通路３６を通じた居室２９から集熱空間３２への内気の供給が停止される。
【００５３】
なお、外気取込通路１１２、外気供給通路１１３、集熱部連通路１２１、集熱部還気通路３６、集熱空間３２及び集熱部給気通路３５が給気通路に含まれており、外気供給通路１１３により第２給気口が構成され、集熱部給気通路３５により第１給気口が構成されている。また、内気取込通路１１４及び内気排出通路１１５が排気通路に含まれている。
【００５４】
集熱空間３２において集熱部給気通路３５には、その集熱部給気通路３５を開閉する集熱供給バルブ１２６が設けられている。集熱供給バルブ１２６は開閉弁等の開閉体を含んで構成されており、集熱供給バルブ１２６が閉鎖状態にある場合、集熱空間３２から居室２９への空気の供給が停止される。
【００５５】
スパンドレル２４には、集熱空間３２から屋外に空気を流出させるための空気流出通路１２８が設けられている。空気流出通路１２８は、スパンドレル２４に形成された貫通孔となっており、集熱空間３２の空気を屋外に放出することが可能となっている。集熱空間３２はスパンドレル２４の上部に配置されており、例えば集熱部給気通路３５と同様に居室２９の天井面近傍の高さに存在している。つまり、集熱部還気通路３６より上方に設けられていることになる。
【００５６】
空気流出通路１２８には、その空気流出通路１２８を開閉する空気流出バルブ１２９が設けられている。空気流出バルブ１２９は開閉弁等の開閉体を含んで構成されており、空気流出バルブ１２９が閉鎖状態にある場合、集熱空間３２から屋外への空気の放出が停止される。
【００５７】
なお、空気流入通路１２４及び空気流出通路１２８により空気流入口及び空気流出口がそれぞれ構成されている。また、外気供給バルブ１２２、外気集熱バルブ１２３、空気流入バルブ１２５、集熱供給バルブ１２６及び空気流出バルブ１２９により、換気装置１１１に取り込まれた外気を居室２９に供給する場合に集熱空間３２を経由させるか否かを切り替える給気口切替手段が構成されている。
【００５８】
次に、建物１０の換気システムに関する電気的な構成について説明する。
【００５９】
換気システムには制御手段としてのコントローラ９１が設けられている。コントローラ９１は、ＣＰＵや各種メモリ等からなるマイクロコンピュータを含んで構成されており、例えば居室２９の壁面に取り付けられている。コントローラ９１は、人によって入力操作が行われる操作部９２と、その入力操作に関する情報を記憶する記憶部９３とを有している。
【００６０】
コントローラ９１には、スパンドレル２４の温度を検出するスパンドレル温度センサ９５と、居室２９の温度を検出する居室温度センサ９６と、外気温度を検出する外気温度センサ９７とが接続されており、これらセンサ９５〜９７は検出信号をコントローラ９１に対して出力する。スパンドレル温度センサ９５はスパンドレル２４に取り付けられている。居室温度センサ９６は例えば居室２９の壁面に取り付けられており、外気温度センサ９７は例えば外壁１５におけるスパンドレル２４が設けられていない部分に取り付けられている。
【００６１】
コントローラ９１には、熱交換部１１７、給気ファン１１８、排気ファン１１９、外気供給バルブ１２２、外気集熱バルブ１２３、空気流入バルブ１２５、集熱供給バルブ１２６、空気流出バルブ１２９といった換気システムのアクチュエータが接続されており、コントローラ９１は指令信号を出力することによりこれらアクチュエータの動作制御を行う。
【００６２】
続いて、コントローラ９１により実行される換気システムの換気制御処理の処理手順について、図６のフローチャートを参照しつつ説明する。なお、コントローラ９１はこの換気制御処理を所定周期で繰り返し実行する。
【００６３】
図６において、ステップＳ１１では、各種センサ９５〜９７の検出信号を取得する。ステップＳ１２では、換気システムが機械換気モードにあるか否かを判定する。ここでは、操作部９２に対して機械換気を停止させるための手動操作が行われたか否かを判定し、手動動作が行われていない場合に機械換気モードにあるとしてステップＳ１３に進む。なお、ここでの換気システムには２４時間換気が採用されており、換気システムが常に機械換気モードにあるため、停止のための手動操作が行われなければ機械換気が常に行われていることになる。
【００６４】
ステップＳ１３では、居室２９の暖房を行うか否かを判定する。ここでは、居室温度センサ９６の検出信号に基づいて居室温度を算出するとともに、居室温度が所定温度（例えば１８℃）より低いか否かを判定し、低い場合に暖房を行うとしてステップＳ１４に進む。
【００６５】
ステップＳ１４では、暖房に集熱空間３２を使用するか否かを判定する。ここでは、スパンドレル温度センサ９５の検出信号に基づいてスパンドレル２４の温度を算出するとともに、スパンドレル２４の温度が判定温度（例えば２３℃）より大きいか否かを判定する。スパンドレル２４の温度が判定温度以下である場合、集熱空間３２による暖房を行わないとしてそのまま本処理を終了し、スパンドレル２４の温度が判定温度より大きい場合、集熱空間３２による暖房を行うとしてステップＳ１５に進む。
【００６６】
ちなみに、記憶部９３にはスパンドレル２４の温度と集熱空間３２の温度と対応関係に関する情報が記憶されており、その情報に基づいて、集熱空間３２の温度が所定温度（例えば１８℃）より大きくなる場合のスパンドレル２４の温度を判定温度（例えば２３℃）として設定する。
【００６７】
なお、スパンドレル２４の温度に加えて、外壁１５にて生じる外壁貫流熱損失や、窓部１８にて生じる窓貫流熱損失、隙間にて生じる隙間風熱損失などに基づいて、スパンドレル２４における太陽熱の集熱効率を算出し、その集熱効率が所定効率（例えば０．４）より大きい場合に集熱空間３２による暖房を行うと判定してもよい。また、集熱空間３２による暖房を行わないとした場合、エアコン等の空調装置による暖房を行ってもよい。
【００６８】
ステップＳ１５では、暖房モードで機械換気を行う。ここでは、外気供給バルブ１２２を閉鎖状態とし、外気集熱バルブ１２３及び集熱供給バルブ１２６を開放状態とし、給気ファン１１８及び排気ファン１１９を運転する。ステップＳ１６では、集熱空間３２から屋外への排熱を停止させる。ここでは、空気流入バルブ１２５及び空気流出バルブ１２９を閉鎖状態とする。ステップＳ１５，Ｓ１６により、換気装置１１１の下流側においては、集熱部連通路１２１及び集熱空間３２が外気の通る通路として確保されるとともに、集熱空間３２の空気は屋外に排出されない。したがって、換気装置１１１の熱交換部１１７にて熱交換された外気は集熱空間３２にて太陽熱により加熱され、屋外に排出されることなく暖気として居室２９に供給される。
【００６９】
居室２９の暖房を行わない場合（ステップＳ１３がＮＯ判定の場合）、又は暖房に集熱空間３２を使用しない場合（ステップＳ１４がＮＯ判定の場合）、ステップＳ１７に進み、室温維持モードで機械換気を行う。ここでは、外気供給バルブ１２２を開放状態とし、外気集熱バルブ１２３を閉鎖状態とし、給気ファン１１８及び排気ファン１１９を運転する。この場合、換気装置１１１の下流側においては外気供給通路１１３が外気の通る通路として確保される。したがって、換気装置１１１の熱交換部１１７にて熱交換された外気は集熱空間３２を通らずにそのまま居室２９に供給され、居室２９の温度変化が抑制される。
【００７０】
ステップＳ１８では、集熱空間３２から屋外への排熱を行うか否かを判定する。ここでは、外気温度センサ９７の検出信号に基づいて外気温度を算出するとともに、外気温度が所定温度（例えば３０℃）より大きいか否かを判定し、外気温度が所定温度以下である場合、集熱空間３２からの排熱を行わないとしてそのまま本処理を終了し、外気温度が所定温度より大きい場合、集熱空間３２の排熱を行うとしてステップＳ１９に進む。なお、外気温度が所定温度より高い時期としては夏期が想定される。また、スパンドレル２４の温度が所定温度（例えば３０℃）より大きいか否かを判定し、スパンドレル２４の温度が所定温度より大きい場合、集熱空間３２の排熱を行うとしてもよい。
【００７１】
ステップＳ１９では、集熱空間３２から屋外への排熱を行う。ここでは、空気流入バルブ１２５及び空気流出バルブ１２９を開放状態とする。この場合、集熱空間３２が居室２９及び屋外空間の両方に通じることになる。したがって、居室２９から空気流入通路１２４を通じて集熱空間３２に流れ込んだ内気が空気流出通路１２８を通じて屋外に流れ出で、居室２９から内気が排出されるとともに、集熱空間３２の熱が内気とともに屋外に排出される。
【００７２】
続いて、換気システムにより換気が行われた場合の居室２９の温度状況について、図７を参照しつつ説明する。図７は、建物１０における空気の流れを示す図であり、（ａ）に暖房モードの場合の空気の流れを示し、（ｂ）に室温維持モードの場合の空気の流れを示す。なお、図７には各階部分１１，１２における空気の流れを示す。ここで、換気システムは一階部分１１及び二階部分１２の各居室２９を対象として換気を行うシステムとなっており、それら居室２９を対照とした換気に際しての温度状況について説明する。
【００７３】
図７（ａ）に示すように、室温維持モードで機械換気が実行されている場合、換気装置１１１に取り込まれた外気（ＯＡ）が給気（ＳＡ）として居室２９に供給されるとともに、換気装置１１１に取り込まれた内気としての還気（ＲＡ）が排気（ＥＡ）として屋外に排出される。この場合、熱交換部１１７において外気と還気との間で熱交換が行われることにより、給気の温度が還気の温度に近付き、排気の温度が外気の温度に近付くため、居室２９の換気に際して居室２９の温度が変化することが抑制される。
【００７４】
なお、実際には熱交換部１１７による外気と排気との熱交換に際しては熱損失が生じるため、外気温度が室内温度より低い場合、給気は還気に比べて熱損失の分だけ低い温度となり、排気は外気に比べて熱損失の分だけ高い温度となる。例えば夏期において、外気温度が３０℃、室内温度が２０℃、熱損失が３℃である場合、給気は外気より７℃低い２３℃まで低下する。
【００７５】
ちなみに、集熱空間３２から屋外への排熱が行われている場合、太陽光により加熱されることで集熱空間３２にて上昇気流が発生すると、それに伴って居室２９から内気が空気流入通路１２４から集熱空間３２に流れ込みやすくなり、さらに、集熱空間３２に流れ込んだ内気が上昇気流に乗って空気流出通路１２８から屋外に放出されやすくなる。この場合、集熱空間３２を通じた居室２９の自然排気が促進されることになり、集熱空間３２に熱がこもることを抑制するだけでなく、居室２９に対して自然換気を行うことになる。
【００７６】
図７（ｂ）に示すように、暖房モードで機械換気が実行されている場合、換気装置１１１に取り込まれた外気（ＯＡ）が集熱空間３２を経由して給気（ＳＡ）として居室２９に供給されるとともに、換気装置１１１に取り込まれた内気としての還気（ＲＡ）が排気（ＥＡ）として屋外に排出される。したがって、外気温度が室内温度より低い場合、居室２９に供給される給気は、熱交換部１１７にて還気の温度に近付くように温度上昇し、さらに集熱空間３２にて太陽熱により温度上昇する。この場合、室温維持モードで機械換気が行われている場合に比べて、外気に対する給気の上昇温度が大きくなるため、居室２９の暖房効果が高められることになる。例えば冬期において、外気温度が５℃、室内温度が１５℃、熱交換部１１７の熱損失が３℃、集熱空間３２での上昇温度が８℃である場合、給気は熱交換により１２℃まで上昇し、集熱空間３２にて外気より１５℃高い２０℃まで上昇する。この場合、給気の温度が室内温度より高いため、居室２９の暖房効果が行われることになる。
【００７７】
これに対して、例えば、熱交換部１１７による熱交換が行われずに外気が集熱空間３２に取り込まれる構成では、外気に対する給気の上昇温度が小さいことが懸念される。例えば冬期において、外気温度が５℃、室内温度が１５℃、集熱空間３２での上昇温度が８℃である場合、給気の温度は１３℃となる。この場合、給気の温度が室内温度より低いため、居室２９の暖房効果が得られないことになる。
【００７８】
以上詳述した本実施形態によれば、以下の優れた効果が得られる。
【００７９】
換気装置１１１に取り込まれた外気が熱交換部１１７にて内気と熱交換された後に集熱空間３２にて加熱されるため、外気が内気と熱交換されずに集熱空間３２にて加熱された場合に比べて、外気の上昇温度を大きくすることができる。したがって、集熱空間３２により居室２９の暖房が行われる構成において、居室２９の換気を行いつつ暖房効率を高めることができる。
【００８０】
換気装置１１１に取り込まれた外気を集熱空間３２に送り込まずに外気供給通路１１３を通じてそのまま居室２９に供給することが可能となっているため、居室２９の換気に際して居室２９の温度上昇を抑制することができる。したがって、例えば夏期においてエアコン等の空調装置により居室２９の冷房が行われていれば、居室２９の換気を行いつつ冷房効率の低下を抑制することができる。
【００８１】
換気装置１１１に取り込まれた外気を居室２９に供給する際に、その外気を集熱空間３２を経由させるか否かの判定が外気温度に基づいて行われる。したがって、例えば冬期において居室２９に供給する外気を太陽熱により温めて居室２９の暖房を行うことができる。また、夏期において居室２９に供給する外気を太陽熱により温めないことで居室２９の温度上昇を抑制することができる。つまり、建物内空間の換気を行うに際して、屋外環境としての外気温度に合わせて居室２９の温度を調整することができる。
【００８２】
集熱空間３２において、集熱部給気通路３５が集熱部還気通路３６の上方に設けられている。したがって、集熱空間３２において太陽熱により加熱されて上昇した外気が、集熱空間３２の上部に溜まることなく集熱部給気通路３５を通じて居室２９に供給される。したがって、集熱空間３２にて温められた外気を居室２９に効率良く供給することができる。
【００８３】
また、集熱空間３２においては、集熱部給気通路３５を形成する給気用スリーブ７６により空気の流れを規制する規制構造が付与されているため、取り込まれた外気が集熱部給気通路３５から居室２９に供給されるまでの滞在時間を長くすることができる。この場合、集熱空間３２において外気に対して太陽熱が加えられる時間が長くなるため、外気の上昇温度を大きくすることができる。したがって、居室２９の暖房効率をより一層高めることができる。
【００８４】
居室２９の内気が空気流入通路１２４から集熱空間３２を通って空気流出通路１２８から屋外へ排出されることにより、集熱空間３２から屋外への排熱が行われる場合、集熱空間３２の排熱だけでなく集熱空間３２を経由した自然排気が行われることになる。また、空気流出通路１２８が空気流入通路１２４の上方に配置されているため、集熱空間３２において太陽熱により加熱された空気が上昇気流を生じさせた場合、空気流入通路１２４を通じて居室２９から集熱空間３２に内気が流入しやすくなるとともに、空気流出通路１２８を通じて集熱空間３２から屋外に前記内気が流出しやすくなる。つまり、集熱空間３２を経由した自然排気が太陽熱により促進されることになる。したがって、集熱空間３２に熱がこもることを抑制できるとともに、居室２９の自然換気を促進することが可能となる。
【００８５】
（他の実施形態）
本発明は上記実施形態の記載内容に限定されず、例えば次のように実施してもよい。
【００８６】
（１）屋外から取り込まれた外気が複数の集熱空間３２を順に通って居室２９に供給される構成としてもよい。例えば、図８に示すように、集熱空間３２としての一階集熱空間３２ａ及び二階集熱空間３２ｂが建物１０の一階部分１１及び二階部分１２にそれぞれ設けられており、それら集熱空間３２ａ，３２ｂは連結通路１３１により連結されている構成とする。この構成では、集熱空間３２ａ，３２ｂは上下に並んでおり且つ互いに離間している。
【００８７】
換気装置１１１は二階部分１２に設けられており、換気装置１１１の下流側においては、集熱部連通路１２１が一階集熱空間３２ａに接続されている。具体的には、集熱部連通路１２１は集熱部還気通路３６ａを通じて一階集熱空間３２ａに接続されている。また、連結通路１３１は集熱部給気通路３５ａを通じて一階集熱空間３２ａに接続されているとともに、集熱部還気通路３６ｂを通じて二階集熱空間３２ｂに接続されている。この場合、換気装置１１１に取り込まれた外気は下の一階集熱空間３２ａの下部に送り込まれ、その一階集熱空間３２ａの上部から上の二階集熱空間３２ｂの下部に流れ込むことになる。つまり、集熱空間３２ａ，３２ｂにて空気が太陽熱により加熱された場合、その空気は一階集熱空間３２ａから二階集熱空間３２ｂに流れ込みやすくなっており、しかも各集熱空間３２において温かい空気が上部にこもるという不都合が抑制される。
【００８８】
二階部分１２の二階集熱空間３２ｂは集熱部給気通路３５ｂを介して一階部分１１の一階居室２９ａ及び二階部分１２の二階居室２９ｂの両方に通じている。具体的には、集熱部給気通路３５ｂには、一階居室２９ａに通じる一階給気通路１３３ａと二階居室２９ｂに通じる二階給気通路１３３ｂとが接続されている。一階給気通路１３３ａ及び二階給気通路１３３ｂにはそれぞれ一階給気バルブ１３４ａ及び二階給気バルブ１３４ｂが設けられており、それらバルブ１３４ａ，１３４ｂの開閉により給気通路１３３ａ，１３３ｂの少なくとも一方から給気が行われる。なお、一階給気バルブ１３４ａ及び二階給気バルブ１３４ｂにより階切替手段が構成されている。
【００８９】
一階給気バルブ１３４ａ及び二階給気バルブ１３４ｂはそれぞれコントローラ９１と電気的に接続されており、コントローラ９１により動作制御される。また、コントローラ９１には一階居室２９ａに人がいることを検出する一階人感センサ１３５ａと、二階居室２９ｂに人がいることを検出する二階人感センサ１３５ｂとが電気的に接続されている。コントローラ９１は、人感センサ１３５ａ，１３５ｂの各検出信号に基づいて人がいるか否かの判定を居室２９ａ，２９ｂのそれぞれについて判定し、人がいる居室に給気を行う。つまり、人がいる居室に対応した給気バルブ１３４ａ，１３４ｂを開放状態とする。
【００９０】
かかる構成によれば、一階居室２９ａ及び二階居室２９ｂの少なくとも一方に人がいる場合、人がいる居室に対して二階集熱空間３２ｂから暖気としての外気が供給される。したがって、二階建ての建物１０において一階居室２９ａ及び二階居室２９ｂの両方を常に暖房対象としなくても、人がいる居室を人にとって快適な温度となるように温めることができる。
【００９１】
また、一階集熱空間３２ａ及び二階集熱空間３２ｂは、上記実施形態の集熱空間３２と同様に、集熱部給気通路３５ａ，３５ｂにより流体抵抗が大きくされている。つまり、集熱空間３２ａ，３２ｂにおいては空気の滞在時間が長くなり、太陽熱による上昇温度が大きくされている。なお、連結通路１３１は空調用配管により形成されており、一階集熱空間３２ａの流体抵抗は二階集熱空間３２ｂより大きくなっている。つまり、一階集熱空間３２ａにおける空気の上昇温度は二階集熱空間３２ｂより大きくなっている。
【００９２】
かかる構成によれば、換気装置１１１から集熱空間３２ａ，３２ｂを経由して居室２９ａ，２９ｂに外気が供給される場合、その外気は集熱空間３２ａ，３２ｂにおいて段階的に加熱され、換気装置１１１の下流側における外気の上昇温度がより一層大きくされる。これにより、居室２９ａ，２９ｂの暖房効率をより一層高めることができる。
【００９３】
なお、外気が複数の集熱空間３２を順に通ってから居室２９に供給される構成においては、それら集熱空間３２は上下ではなく左右に並んでいてもよい。この場合でも、各集熱空間３２が連結通路により連結されていれば、換気装置１１１の下流側における外気の上昇温度を大きくすることができる。
【００９４】
（２）集熱空間３２は屋根に設けられていてもよい。例えば図８に示すように、建物１０の屋根１０ａはスパンドレル２４を含んで構成されており、屋根１０ａの屋外面がスパンドレル２４により形成されている構成とする。この構成では、屋根１０ａの屋根下地材等の板材とスパンドレル２４との間に集熱空間３２が形成されている。また、屋根１０ａは傾斜しており、集熱空間３２の空気を屋外に流出させるための空気流出通路１２８が集熱空間３２の上部に形成されているとともに、二階居室２９ｂや屋根裏空間の空気を集熱空間３２に流入させるための空気流入通路１２４が集熱空間３２の下部に形成されている。
【００９５】
この構成によれば、建物１０内にて発生した熱が熱気としてドアのアンダーカット等の通気部や階段室などの吹抜空間などを通じて上昇し、空気流入通路１２４から集熱空間３２に流れ込んだ場合、その熱気は集熱空間３２にて加熱されることで集熱空間３２内を上昇し、空気流出通路１２８を通じて屋外に排出される。この場合、建物１０内において集熱空間３２を通じた自然換気が行われることになり、建物１０内に熱がこもることを抑制できる。
【００９６】
また、集熱空間３２が屋根１０ａに対して設けられている場合、集熱空間３２が外壁１５に対して設けられている構成に比べて太陽光の照射角度が大きくなるため、集熱空間３２（スパンドレル２４）に付与される太陽熱が大きくなる。したがって、集熱空間３２における空気の上昇温度が大きくなり、その空気が暖気として居室２９に供給されることにより居室２９の暖房効率が高められる。
【００９７】
（３）複数の集熱空間３２のうちいずれかから選択的に居室２９に給気が行われる構成としてもよい。例えば、図９に示すように、集熱空間３２の温度を検出する集熱空間温度センサ１３８が各集熱空間３２にそれぞれ設けられており、それら集熱空間温度センサ１３８がコントローラ９１と電気的に接続されている構成とする。この構成において、コントローラ９１は、各集熱空間温度センサ１３８の検出信号に基づいて各集熱空間３２の温度を算出し、最も温度の高い集熱空間３２に対応した集熱供給バルブ１２６を開放させる。この場合、複数の集熱空間３２のうち最も温度の高い空間から暖気が供給されるため、居室２９の暖房効率を高めることができる。
【００９８】
なお、この構成においては、集熱空間３２ごとに対応して設けられている各集熱供給バルブ１２６により集熱空間切替手段が構成されている。
【００９９】
（４）集熱空間３２において空気の流れを規制する規制構造として、集熱部還気通路３６と集熱部給気通路３５との間に空気の流れを遮る遮蔽部が設けられている構成としてもよい。例えば、集熱空間３２において空気の流れる経路が蛇行するように遮蔽部が設けられている構成とする。この場合、集熱空間３２において空気の流れる距離が長くなり、滞在時間も長くなる。したがって、太陽熱による空気の上昇温度を大きくすることができる。
【０１００】
（５）集熱板はスパンドレル２４等の折り曲げ板ではなく、ガラス板等の平板により形成されていてもよい。
【０１０１】
（６）既に構築されている建物１０の外壁１５に対してスパンドレル２４を取り付ける（後施工する）ことにより集熱空間３２が形成されていてもよい。この場合、建物１０における防水面はスパンドレル２４ではなく外壁パネル５１の外壁材５２により形成されていることになる。
【符号の説明】
【０１０２】
１０…建物、１５…外壁、２４…集熱板としてのスパンドレル、２９…建物内空間としての居室、３２…給気通路を構成する集熱空間、３５…給気通路、第１給気口及び規制構造を構成する集熱部給気通路、３６…給気通路を構成する集熱部還気通路、５２…板材としての外壁材、７６…規制構造を構成する給気用スリーブ、９１…制御手段としてのコントローラ、９７…屋外情報取得手段としての外気温度センサ、１１１…換気設備を構成する換気装置、１１２…給気通路を構成する外気取込通路、１１３…給気通路及び第２給気口を構成する外気供給通路、１１４…排気通路を構成する内気取込通路、１１５…排気通路を構成する内気排出通路、１１７…熱交換装置としての熱交換部、１２１…給気通路を構成する集熱部連通路、１２４…空気流入口を構成する空気流入通路、１２６…集熱空間切替手段を構成する集熱供給バルブ、１２８…空気流出口を構成する空気流出通路、１３１…連結通路、１３４ａ…階切替手段を構成する一階給気バルブ、１３４ｂ…階切替手段を構成する二階給気バルブ、１３５ａ…人検出手段としての一階人感センサ、１３５ｂ…人検出手段としての二階人感センサ、１３８…温度検出手段としての集熱空間温度センサ。
【図１】
0005563326.tif 000002
【図２】
0005563326.tif 000003
【図３】
0005563326.tif 000004
【図４】
0005563326.tif 000005
【図５】
0005563326.tif 000006
【図６】
0005563326.tif 000007
【図７】
0005563326.tif 000008
【図８】
0005563326.tif 000009
【図９】
0005563326.tif 000010